(57)【要約】【課題】クロマトグラフ装置における分析作業において、分析結果が正しいかを判断し、期待値を外れた分析結果が得られた場合、その不良要因を特定する作業は、担当者が問題点の解析に関する十分な知識を有していない場合や、問題がデータ処理装置内での計算精度や処理手順、判定条件による場合には解析情報の取得に困難を伴う。【解決手段】本発明は、クロマトグラフデータ処理装置において、分析結果において期待する閾値を指定し、期待値に満たない場合に取得過程として出力する項目を予め設定することで、問題点の解析に関する情報を自動で収集、出力する手段を備え、問題点の特定を容易にする。【選択図】図６
2010151651.tif 000002
【特許請求の範囲】
【請求項１】
溶離液を吸引するポンプと、溶離液にサンプルを注入するオートサンプラと、サンプルを成分ごとに分離するカラムオーブンと、分離された各成分を検出する検出器と、該検出器を介して得られたクロマトグラフより各成分の濃度を演算するデータ処理装置と、該データ処理装置に接続された入力装置及びディスプレイ装置を備える液体クロマトグラフ装置において、
前記ディスプレイ装置は、前記入力装置からの命令に従って、閾値設定画面又は操作履歴確認画面を表示し、
前記閾値設定画面は、クロマトグラフの分析により得られた測定値の精度の閾値を入力する入力欄と、前記測定値の精度が前記閾値より低い場合に前記操作履歴確認画面に表示する情報を指定する指定欄を有し、
前記操作履歴確認画面は、前記クロマトグラフの分析結果を得るまでに実行された前記データ処理装置における操作履歴と、前記閾値設定画面の入力欄にて入力された前記測定値の精度の閾値と、前記閾値設定画面の指定欄にて指定された情報を表示することを特徴とする液体クロマトグラフ装置。
【請求項２】
請求項１記載の液体クロマトグラフ装置において、
前記操作履歴確認画面に表示される前記操作履歴は、前記データ処理装置にて実行された操作内容と、該操作内容が実行されたときに前記ディスプレイ装置に表示された操作画面を含むことを特徴とする液体クロマトグラフ装置。
【請求項３】
請求項１記載の液体クロマトグラフ装置において、
前記操作履歴確認画面は、前記操作履歴を表示する操作履歴表示エリアを有し、該操作履歴表示エリアは、操作手順の番号を表示するエリア、操作手順の画面を表示するエリア、操作手順の操作内容を表示するエリア、操作手順に対するコメントを入力し、又は、表示するエリア、操作手順に対する編集を行なうためのボタンを含むことを特徴とする液体クロマトグラフ装置。
【請求項４】
請求項１記載の液体クロマトグラフ装置において、
前記ディスプレイ装置は、前記入力装置からの命令に従って、操作履歴保存画面を表示し、該操作履歴保存画面は、ファイル名を入力する欄を有し、前記入力装置を介してファイル名が入力されると、前記操作履歴確認画面に表示された操作履歴がファイルとして保存されることを特徴とする液体クロマトグラフ装置。
【請求項５】
請求項１記載の液体クロマトグラフ装置において、
前記閾値設定画面は、検量線の一致度の閾値を入力する入力欄と、前記検量線の一致度が前記閾値より小さい場合に前記操作履歴確認画面に表示する情報を指定する指定欄を有し、
前記検量線の一致度は次の式によって求めることを特徴とする液体クロマトグラフ装置。
2010151651.tif 000005
ここで、xiは標準サンプルの各成分の濃度であり、yiは標準サンプルの各成分の測定値（面積値）である。fxiは、標準サンプルの各成分の濃度に対応する検量線上の点のＹ座標の値である。yavgは、標準サンプルの各成分の測定値（面積値）の平均置である。
【請求項６】
請求項５記載の液体クロマトグラフ装置において、
前記検量線の一致度が前記閾値より低い場合に前記操作履歴確認画面に表示する情報は、分析条件、バイアル、濃度、ベースライン測定結果、クロマトグラフのトップピーク値、クロマトグラフのバレー値、クロマトグラフの面積値、クロマトグラフ、及び、検量線作成時のデータの少なくとも１つを含むことを特徴とする液体クロマトグラフ装置。
【請求項７】
請求項１記載の液体クロマトグラフ装置において、
前記閾値設定画面における前記測定値の精度は、ピーク同定値、統計値、及び、システム適合性テスト（SST）値のうちの１つの精度であることを特徴とする液体クロマトグラフ装置。
【請求項８】
溶離液を吸引するポンプと、溶離液にサンプルを注入するオートサンプラと、サンプルを成分ごとに分離するカラムオーブンと、分離された各成分を検出する検出器と、該検出器を介して得られたクロマトグラフより各成分の濃度を演算するデータ処理装置と、該データ処理装置に接続された入力装置及びディスプレイ装置を備える液体クロマトグラフ装置において、
前記ディスプレイ装置は、前記入力装置からの命令に従って、閾値設定画面又は操作履歴確認画面を表示し、
前記閾値設定画面は、下記の式によって表される、クロマトグラフの分析に用いる検量線の一致度の閾値を入力する入力欄と、前記検量線の一致度が前記閾値より小さい場合に前記操作履歴確認画面に表示する情報を指定する指定欄を有し、
前記操作履歴確認画面は、前記検量線を得るまでに実行された前記データ処理装置における操作履歴と、前記閾値設定画面の入力欄にて入力された前記検量線の一致度の閾値と、前記閾値設定画面の指定欄にて指定された情報を表示することを特徴とする液体クロマトグラフ装置。
2010151651.tif 000006
ここで、xiは標準サンプルの各成分の濃度であり、yiは標準サンプルの各成分の測定値（面積値）である。fxiは、標準サンプルの各成分の濃度に対応する検量線上の点のＹ座標の値である。yavgは、標準サンプルの各成分の測定値（面積値）の平均置である。
【請求項９】
請求項８記載の液体クロマトグラフ装置において、
前記検量線の一致度が前記閾値より低い場合に前記操作履歴確認画面に表示する情報は、分析条件、バイアル、濃度、ベースライン測定結果、クロマトグラフのトップピーク値、クロマトグラフのバレー値、クロマトグラフの面積値、クロマトグラフ、及び、検量線作成時のデータの少なくとも１つを含むことを特徴とする液体クロマトグラフ装置。
【請求項１０】
請求項８記載の液体クロマトグラフ装置において、
前記操作履歴確認画面に表示される前記操作履歴は、前記データ処理装置にて実行された操作内容と、該操作内容が実行されたときに前記ディスプレイ装置に表示された操作画面を含むことを特徴とする液体クロマトグラフ装置。
【請求項１１】
請求項８記載の液体クロマトグラフ装置において、
前記操作履歴確認画面は、前記操作履歴を表示する操作履歴表示エリアを有し、該操作履歴表示エリアは、操作手順の番号を表示するエリア、操作手順の画面を表示するエリア、操作手順の操作内容を表示するエリア、操作手順に対するコメントを入力し、又は、表示するエリア、操作手順に対する編集を行なうためのボタンを含むことを特徴とする液体クロマトグラフ装置。
【請求項１２】
請求項８記載の液体クロマトグラフ装置において、
前記ディスプレイ装置は、前記入力装置からの命令に従って、操作履歴保存画面を表示し、該操作履歴保存画面は、ファイル名を入力する欄を有し、前記入力装置を介してファイル名が入力されると、前記操作履歴確認画面に表示された操作履歴がファイルとして保存されることを特徴とする液体クロマトグラフ装置。
【請求項１３】
溶離液を吸引するポンプと、溶離液にサンプルを注入するオートサンプラと、サンプルを成分ごとに分離するカラムオーブンと、分離された各成分を検出する検出器と、該検出器を介して得られたクロマトグラフより各成分の濃度を演算するデータ処理装置と、該データ処理装置に接続された入力装置及びディスプレイ装置を備える液体クロマトグラフ装置を用いた液体クロマトグラフ分析方法において、
前記入力装置を介して入力された入力データに基づいて、分析条件を設定するステップと、
前記入力装置を介して入力された入力データに基づいて、サンプル条件を設定するステップと、
前記入力装置を介して入力された入力データに基づいて、検量線の一致度の閾値を設定するステップと、
前記データ処理装置を用いて、成分の濃度が既知の標準サンプルについて液体クロマトグラフ分析を行い、検量線を作成するステップと、
前記データ処理装置を用いて、前記検量線の一致度を次の式によって演算するステップと、
2010151651.tif 000007
〔ここで、xiは標準サンプルの各成分の濃度であり、yiは標準サンプルの各成分の測定値（面積値）である。fxiは、標準サンプルの各成分の濃度に対応する検量線上の点のＹ座標の値である。yavgは、標準サンプルの各成分の測定値（面積値）の平均置である。〕
前記データ処理装置を用いて、前記検量線の一致度が前記検量線の一致度の閾値より小さいか否かを判定するステップと、
前記検量線の一致度が前記検量線の一致度の閾値より小さい場合に、前記液体クロマトグラフ分析の結果を求めるまでの操作履歴を前記ディスプレイ装置に表示するステップと、を有する液体クロマトグラフ分析方法。
【請求項１４】
請求項１３記載の液体クロマトグラフ分析方法において、
前記入力装置からの命令に従って、前記ディスプレイ装置に、クロマトグラフの分析に用いる検量線の一致度の閾値を入力する入力欄と、前記検量線の一致度が前記閾値より小さい場合に表示する情報を指定する指定欄を有する閾値設定画面表示するステップと、
を有する液体クロマトグラフ分析方法。
【請求項１５】
請求項１３記載の液体クロマトグラフ分析方法において、
前記入力装置からの命令に従って、前記ディスプレイ装置に、前記クロマトグラフの分析結果を得るまでに実行された前記データ処理装置における操作履歴と、前記閾値設定画面の入力欄にて入力された前記検量線の一致度の閾値と、前記閾値設定画面の指定欄にて指定された情報を表示する操作履歴確認画面を表示するステップと、
を有する液体クロマトグラフ分析方法。
【発明の詳細な説明】
【技術分野】
【０００１】
本発明は、液体クロマトグラフ装置に関し、特に分析結果に問題があった場合の解析機能に関する。
【背景技術】
【０００２】
近年、クロマトグラフデータ処理装置の高機能化が進み、その操作方法は複雑化している。そこで、従来の操作画面では、分析測定者の便宜を考慮し、よく使用する機能をピックアップし、操作メニューやアイコンなどで並べたり、各機能の操作メニューを階層化するなどして各機能における操作の簡易化を図っている。また、操作手順をナビゲートする機能を搭載し、操作性の向上を図り、操作ミスを防止する分析測定者インターフェースを持つものもある。
【０００３】
【特許文献１】特開平５−３２２８７０号公報
【特許文献２】特開２００７−４０９０５号公報
【発明の開示】
【発明が解決しようとする課題】
【０００４】
近年、高圧、高流量の液体クロマトグラフ装置を使用して、短時間で大量の分析を実施することが可能となっている。そのため、大量の分析結果が正しいかを判断し、期待値を外れた測定結果又は分析結果が得られた場合、その原因を特定する作業が必要である。しかしながら、この作業は、以下の点で非常に困難を伴う。
【０００５】
近年、クロマトグラフ装置における分析作業では、作業毎に担当者が異なる分業化が進んでいる。例えば、測定方法を定義する者、分析測定方法に従って分析測定する者、データ解析を行う者、及び、レポートを纏める者、は互いに異なる。そこで、サンプルの分析作業を行う担当者が問題点の解析に関する十分な知識を有していない場合に上位分析者や専門担当者に解析を仰ぐ場合がある。この場合、担当者は、どのような情報を抽出して報告するべきか判断できない場合がある。また、データ量が大量であるとその中から目的の情報を抽出することが困難である。
【０００６】
特に、測定値又は分析結果が期待値からわずかに外れている場合には、操作や分析装置の問題ではなく、データ処理装置内での計算精度や処理手順、判定条件が問題である可能性がある。このような場合には、通常出力される分析結果よりも詳細な情報や演算の経過情報が解析に必要となる。
【０００７】
本発明の目的は、測定値又は分析結果が期待値を外れた場合、問題点の特定を容易にできる手段を提供することにある。
【課題を解決するための手段】
【０００８】
本発明の液体クロマトグラフ装置によると、ディスプレイ装置に閾値設定画面又は操作履歴確認画面を表示する。
【０００９】
閾値設定画面は、クロマトグラフの分析により得られた測定値の精度の閾値を入力する入力欄と、測定値の精度が閾値より低い場合に操作履歴確認画面に表示する情報を指定する指定欄を有する。
【００１０】
操作履歴確認画面は、クロマトグラフの分析結果を得るまでに実行された操作履歴と、閾値設定画面の入力欄にて入力された測定値の精度の閾値と、閾値設定画面の指定欄にて指定された情報を表示する。
【発明の効果】
【００１１】
本発明によると、特定された分析結果が期待値を外れた場合、問題点の特定を容易にできる。
【発明を実施するための最良の形態】
【００１２】
以下、本発明の実施例を図面に基づいて説明する。図１は、本実施例に係るクロマトグラフデータ処理装置を含む標準的な液体クロマトグラフ装置の構成例を示す。液体クロマトグラフ装置は、複数種類の溶離液１０１、ポンプ１０２、オートサンプラ１０３、カラムオーブン１０４、検出器１０５、及び、データ処理装置１０６を有する。カラムオーブン１０４は分離カラムとオーブンを有する。データ処理装置１０６は、記憶装置１０７を有し、ディスプレイ１０８、キーボード１０９、マウス１１０及びプリンタ１１１が接続されている。
【００１３】
複数種類の溶離液１０１は、それぞれ、ポンプ１０２によって吸引され、オートサンプラ１０３に送られる。オートサンプラ１０３では、溶離液にサンプルが注入される。サンプルは溶離液と共に、カラムオーブン１０４に送液される。カラムオーブン１０４では、サンプルに含まれる各成分は、オーブンによって恒温維持された分離カラムによって分離される。分離された各成分は、検出器１０５によって検出されるとともに、廃液容器に廃棄される。検出器１０５によって得られたクロマトグラフは、データ処理装置１０６に送られる。データ処理装置１０６は、クロマトピークの高さや面積を算出し、各成分の測定値を、記憶装置１０７に保存し、更に、ディスプレイ１０８及びプリンタ１１１に出力する。尚、分析測定者は、キーボード１０９やマウス１１０等の入力装置を介して、分析条件及びサンプルの設定入力を行なう。ディスプレイ１０８には、各種の入力画面、操作画面、出力画面が表示される。更に、データ処理装置１０６はポンプ１０２を制御して溶離液１０１の流量を調節し、オートサンプラ１０３を制御して、サンプルの注入量を調節し、カラムオーブン１０４を制御して、オーブンの温度を調節する。
【００１４】
液体クロマトグラフ装置を用いた分析では、分析結果又は測定結果が、予期した値と異なる場合がある。そのような場合には、その原因を特定する必要がある。本発明によると、先ず、分析結果又は測定結果を、予期した値と比較する。両者の偏差が大きい場合には、操作履歴を読み出す。こうして、操作履歴より、その原因を究明することができる。液体クロマトグラフ装置を用いた分析では、分析結果又は測定結果として、様々な測定値が得られる。そのような測定値として、ピーク同定値、統計値、システム適合性テスト（SST）値等がある。しかしながら、以下の例では、測定値として検量線について説明する。即ち、検量線の精度が、予期した値と異なる場合を説明する。
【００１５】
図７を参照して、検量線について説明する。液体クロマトグラフ装置では、検出器１０５からの出力によって、縦軸が信号強度、横軸が時間のクロマトグラフが得られる。時間と成分の関係は既知である。従って、横軸の時間は、サンプルに含まれる成分の種類を示す。クロマトグラフのピークの面積は、各成分の濃度を表すものとする。ピークの面積から各成分の濃度を知るには検量線が必要である。
【００１６】
検量線は、標準サンプルを用いて作成する。先ず、濃度が異なる複数の標準サンプルを用意する。標準サンプルに含まれる成分の濃度は既知である。次に、これらの標準サンプルについて液体クロマト測定を行い、クロマトグラフを得る。クロマトグラフより、各成分のピークの面積を測定する。各成分の濃度は既知であるから、濃度とピークの面積の関係が得られる。これが、検量線である。図７は、横軸が濃度、縦軸がピークの面積の座標を示す。この座標上にて、標準サンプルについて測定した液体クロマトの測定結果をプロットする。ピークの面積は濃度に比例するものとする。標準サンプルについて測定した液体クロマトが正確であれば、検量線は直線となるはずである。プロットした点を通る直線が検量線である。検量線は、次の数１の式によって表される。
【００１７】
【数１】
2010151651.tif 000003
【００１８】
ここで、xiは標準サンプルの各成分の濃度であり、yiは標準サンプルの各成分の測定値（面積値）である。数１の第１の式は、傾きaと切片ｂを含む一次式である。傾きaと切片bは、第２及び第３の式に示すように、最小二乗法によって求める。
【００１９】
標準サンプルについて測定結果が正確であれば、図７の点７０２に示すように、濃度とピークの面積の関係は直線上に乗るはずである。しかしながら、様々な要因により、濃度とピークの面積の関係は直線上に乗らない場合がある。例えば、図７の点７０３及び７０４は、標準サンプルについて測定した液体クロマトの測定結果をプロットした他の例を示す。そのような場合でも、検量線は数１の式によって直線として得られる。
【００２０】
図７の直線７０１は、標準サンプルを用いた測定結果から計算した検量線を示す。図７の点７０３及び７０４のように、標準サンプルについて測定結果が検量線より大きく偏奇している場合には、検量線の精度は高くない可能性がある。ここでは、検量線の精度を定量的に示すパラメータとして、一致度を用いる。一致度は次の数２の式によって求める。
【００２１】
【数２】
2010151651.tif 000004
【００２２】
ここで、fxiは、標準サンプルの各成分の濃度に対応する検量線上の点のＹ座標の値である。yavgは、標準サンプルの各成分の測定値（面積値）の平均置である。一致度は１以下の正の値をとる。一致度が１に近いほど、検量線に対する標準サンプルの測定値の偏差は小さいと言える。即ち、一致度が１に近いほど、検量線の精度が高いと言える。
【００２３】
図２を参照して、分析測定者の作業と分析及び情報取得の流れ（解析シナリオ）を説明する。本例では、検量線の一致度を算出し、検量線の一致度が低い場合には、その原因を調べるのに必要な処理を行なう。ステップＳ２０１にて、分析測定者は分析条件を設定する。分析条件の設定は、ディスプレイ１０８に表示された分析条件の設定画面（図示なし）を介して行なってよい。分析条件は、装置条件と処理条件を含む。装置条件は、ポンプ１０２、オートサンプラ１０３、カラムオーブン１０４、及び、検出器１０５における設定条件である。例えば、オートサンプラの設定条件は、サンプルの注入量等を含む。カラムオーブンの設定条件は、恒温室の設定温度等を含む。処理条件は、データ処理装置１０６におけるクロマトグラフの処理条件である。例えば、ピークの面積を計測する場合のベースラインの設定等である。ステップＳ２０２にて、分析測定者はサンプル条件を設定する。サンプル条件の設定は、ディスプレイ１０８に表示されたサンプル条件の設定画面（図示なし）を介して行なってよい。サンプル条件には、サンプルのバイアル、濃度等が含まれる。ステップＳ２０３にて、分析測定者は、閾値を設定する。即ち、検量線の一致度の閾値を設定する。検量線の一致度は、１以下の正の値である。従って、閾値は、１より小さい正の値とする。
【００２４】
ステップＳ２０４にて、分析測定者は、成分の濃度が既知の標準サンプルに対して液体クロマトグラフ測定を行い、クロマトグラフを得る。ステップＳ２０５にて、測定値の二次処理を行う。即ち、測定値の平滑処理（スムージング）を行う。平滑処理には、クロマトグラフの平滑処理が含まれる。ステップＳ２０６にて、検量線の一致度を算出する。数２の式に従って、一致度を算出する。ステップＳ２０７にて、検量線の一致度を閾値と比較する。検量線の一致度が閾値より小さい場合には、検量線の精度が低いと判定し、ステップＳ２０８に進む。検量線の一致度が閾値に等しいか又はそれより大きい場合には、検量線の精度が高いと判定し、ステップＳ２１０に進む。
【００２５】
ステップＳ２０８にて、図６に示す操作履歴確認画面を表示する。この操作履歴確認画面にて、測定値を求めるまでの操作履歴を表示する。図６の操作履歴確認画面の例は、後に説明する。ステップＳ２０９にて、分析測定者は、操作履歴確認画面にて操作履歴をレビューし、操作において、検量線の作成の基礎となる測定結果に誤差が発生した原因を調べる。分析測定者は、誤差が発生した原因を上位分析者に報告する。ステップＳ２１０にて、分析結果を外部装置に出力する。
【００２６】
図３に、閾値設定画面の例を示す。この閾値設定画面は、図２のステップＳ２０３において表示する。この閾値設定画面には、検量線の一致度の閾値を入力する欄３０１と、検量線の一致度が閾値より小さい場合に、出力する情報を指定する欄３０２が表示される。図示の例では、検量線の一致度の閾値として、「０．９８」が入力されている。検量線の一致度が閾値より小さかった場合に出力する情報は、その原因を調査する上で必要となる情報である。本例によると、操作履歴は必ず表示される。従って、操作履歴以外の項目で、分析測定者が必要であると判定した項目を指定することができる。図示の例では、出力情報には、分析条件（装置条件、処理条件）、バイアル、濃度、ベースライン測定結果、トップピーク値、バレー値、面積値、クロマト、検量線作成時のデータ、等があり、それらのチェックボックス３０２にチェックが入力されている。こうしてチェックボックスにチェックを入力し、設定ボタン３０３をクリックすると、設定内容が、問題点の解析シナリオとして記憶される。設定者はチェックする項目を選択することによって出力する情報量を制御することができる。
【００２７】
本例では、操作履歴を表示させる。それによって、分析測定者の操作の履歴を知ることができる。分析条件（装置条件、処理条件）、バイアル、濃度を表示させることによって、分析条件及びサンプル条件の設定値等の操作において、入力ミス等があったか否かを判定することができる。ベースライン測定結果、トップピーク値、バレー値、面積値、クロマトを表示させることによって、測定機器の精度、得られたデータの質、形状等において問題があったか否かの情報を得ることができる。検量線作成時のデータを表示させることによって、検量線の精度に関する情報を得ることができる。
【００２８】
図６に、操作履歴確認画面の例を示す。この操作履歴確認画面は、図２のステップＳ２０８において表示する。本例の操作履歴確認画面は、操作履歴を表示するエリア６０１、クロマトグラフを表示するエリア６０２、ベースライン測定結果、ピーク、バレー、ピークの面積を表示するエリア６０３、分析条件（装置条件、処理条件）を表示するエリア６０４、バイアル、濃度を表示するエリア６０５、検量線データを表示するエリア６０６を有する。エリア６０１には、分析測定者による操作履歴が表示される。分析測定者は、エリア６０１の操作履歴をレビューすることによって、分析測定者による操作履歴を知ることができる。尚、エリア６０１の詳細は、図４に示す。エリア６０２、６０３、６０４、６０５、６０６には、図３の閾値設定画面のチェックボックス３０２にて設定した項目が表示される。
【００２９】
エリア６０２には、複数のクロマトグラフのうちの１つが自動的に選択されて表示される。ここでは、複数のクロマトグラフを、同時に、又は、重ね書き等で表示することが可能である。従って、分析測定者は、エリア６０２に表示されたクロマトグラフを観察することにより、測定値に異常があるか否かを確認することができる。エリア６０３には、エリア６０２に表示されたクロマトグラフについて、ベースライン測定結果、ピーク、バレー、ピークの面積が表示される。ここでは、これらの複数データが一括で表示される。従って、分析測定者は、ベースライン測定結果等に異常が無いか確認できる。
【００３０】
エリア６０４には、エリア６０２に表示されたクロマトグラフについて、分析条件（装置条件、処理条件）が表示される。分析測定者は、分析条件の設定に問題が無いか確認できる。エリア６０５には、エリア６０２に表示されたクロマトグラフについて、バイアル位置、濃度、繰り返し測定回数等の測定情報が表示される。分析測定者は、サンプルの指定等に間違いが無いかを確認することができる。エリア６０６には、検量線の算出に用いた内部演算値が表示される。
【００３１】
図４に、操作履歴確認画面の一部である操作履歴表示エリアを示す。この画面は、図６の操作履歴確認画面のエリア６０１を拡大したものである。この操作履歴表示エリアのみを全画面表示してもよい。本例の操作履歴表示エリアは、操作手順の番号４０１を表示する列エリア、操作手順の画面４０５を表示する列エリア、操作手順の操作内容４０６を表示する列エリア、操作手順に対するコメント４０７を入力、表示する列エリア、操作手順に対する削除などの編集するための実行ボタンを表示する列エリア４０８を有する。
【００３２】
操作手順の番号４０１、操作手順の画面４０５、操作手順の操作内容４０６、コメント４０７は、操作手順の番号毎に、対応する行エリアに表示されている。
【００３３】
操作手順の番号４０１は、分析測定者が行なった操作の順番を示す。操作手順の画面４０５は、分析測定者が行なった操作に用いた操作画面を表示する。本例では、操作に用いた全ての操作画面が表示されるため、画面遷移を把握することができる。
【００３４】
操作内容４０６には、分析測定者が操作した内容が表示される。特に、画面上にて変更した分析条件（装置条件、処理条件）を示す。例えば、操作手順の番号１０では、分析測定者が波形画面を表示し、波形画面上でスムージングボタンを押下したことが示されている。また、分析測定者は、検量線の一致度の閾値として、「０．９８」を設定したことが示されている。操作手順の番号１１では、分析測定者は、スムージング設定画面を表示し、処理方法、スムージング次数、データ点数、回数等を設定し、ＯＫボタンを押下したことが表示されている。操作手順の番号１２では、分析測定者は、再度波形画面を表示し、波形画面上でスムージングボタンを押下したことが示されている。操作手順の番号１３では、分析測定者は、スムージング設定画面を表示し、スムージング次数、及び、データ点数を変更して、ＯＫボタンを押下したことが表示されている。ここで、処理方法及び回数は、変更されていないため、表示されていない。操作手順の番号１４では、分析測定者は、再度波形画面を表示したことが示されている。
【００３５】
図示の例では、分析測定者は、図２のステップＳ２０５の平滑処理を手動で２回実施していることが判る。尚、分析測定者が、上位分析者に平滑処理の実施内容を報告する場合には、操作手順の番号１３にて示す最後に実行した処理のみを報告すればよい。従って、冗長な情報を削除する手段として削除ボタンが設けられている。また、コメント４０７は、分析測定者が入力した又は変更したコメントを示す。コメントに、分析測定者が、操作を補足することが可能である。
【００３６】
分析測定者が、保存ボタン４０２を押下すると、この操作履歴表示エリアに表示された内容が保存される。分析測定者が、印刷ボタン４０３を押下すると、この操作履歴表示エリアが印刷される。分析測定者が、終了ボタン４０４を押下すると、この操作履歴表示エリアが閉じられる。
【００３７】
図５に、操作履歴保存画面の例を示す。図４の操作履歴表示エリアが表示された画面にて、保存ボタン４０２をクリックすると、図５の操作履歴保存画面が表示される。本例の操作履歴保存画面は、操作履歴のファイル名を設定するテキストボックス５０１、操作履歴の説明を設定するテキストボックス５０２、及び、操作履歴のファイルを保存するボタン５０３を有する。分析測定者は、テキストボックス５０１に、操作履歴のファイル名を入力し、テキストボックス５０２に、操作履歴の説明を入力し、ボタン５０３をクリックすると、図４の操作履歴確認画面にて示す情報がファイル化される。
【００３８】
本例によると、図４の操作履歴表示エリアにて示す情報が、解析シナリオの手順に沿って、自動的に収集され、一括出力される。従って、分析測定者は、問題点の特定を容易に行なうことができる。また、分析測定者から上位分析者への報告、解析依頼等の作業も容易に行うことができる。また、事前に解析シナリオを設定することで、分析担当者の経験によらずに問題点の解析のための必要な情報を取得することが可能である。
【００３９】
この情報は印刷または記憶媒体に記憶することが可能であり、データベースとして情報を蓄積し、その中から以前に発生した問題と同一の情報を検索、取得することも可能である。例えば、情報検索の例として検量線の一致度が0.95-0.98の場合、検量線の一致度が0.80以下の場合等をキーワードとして同一の解析データを検索することができる。
【００４０】
以上の例では、検量線の一致度を例にとって説明した。しかしながら、本発明は、ピーク同定値や統計値、システム適合性テスト（SST）値等が期待した値より偏奇している場合にも適用可能である。その場合、内部計算値としては統計値やピーク半値幅等の期待値に則した値の解析シナリオの選択と解析情報の出力を行う。
【００４１】
本発明によると、特定された分析結果が期待値を外れた場合、問題点の解析に必要な情報を予め指定したシナリオ情報に従ってデータ処理装置が自動で収集、出力する。そのため、問題点の特定を容易にできる効果がある。
【００４２】
以上、本発明の例を説明したが本発明は特許請求の範囲に記載された発明の範囲にて様々な変更が可能であることは当業者によって容易に理解されよう。
【図面の簡単な説明】
【００４３】
【図１】本発明によるな液体クロマトグラフ装置の構成例を示す図である。
【図２】本発明によるな液体クロマトグラフ装置において、分析測定者の作業と分析及び情報取得の流れを説明する図である。
【図３】本発明による液体クロマトグラフ装置における閾値設定画面例を示す図である。
【図４】本発明による液体クロマトグラフ装置における操作履歴確認画面の例の一部を示す図である。
【図５】本発明による液体クロマトグラフ装置における操作履歴保存画面例を示す図である。
【図６】本発明による液体クロマトグラフ装置における操作履歴確認画面の例を示す図である。
【図７】本発明による液体クロマトグラフ装置における検量線及び検量線の一致度を説明する図である。
【符号の説明】
【００４４】
１０１…溶離液、１０２…ポンプ、１０３…オートサンプラ、１０４…カラムオーブン、１０５…検出器、１０６…データ処理装置、１０７…記憶装置、１０８…ディスプレイ、１０９…キーボード、１１０…マウス、１１１…プリンタ
【図１】
2010151651.tif 000008
【図２】
2010151651.tif 000009
【図３】
2010151651.tif 000010
【図４】
2010151651.tif 000011
【図５】
2010151651.tif 000012
【図６】
2010151651.tif 000013
【図７】
2010151651.tif 000014